(57)【要約】      （修正有）【課題】掘削後に支持機能を高めることができる杭を提供する。【解決手段】先端拡翼１６を有する頭部１０，１１，１２をロッド１の先端側に設けるとともに、ロッド１の外周には頭部１０，１１，１２側からロッド１の基端側へロッド１の回転中心線１ａに沿って螺旋溝を形成するように複数組の螺旋拡翼７を並設している。ロッド１の複数組の螺旋拡翼７のうち頭部１０，１１，１２側の螺旋拡翼７の直径Ｄ１よりもロッド１の基端側の螺旋拡翼７の直径Ｄ１を大きくして、ロッド１の螺旋拡翼７の直径Ｄ１が頭部１０，１１，１２側からロッド１の基端側へ向うに従い次第に大きくするとともに、頭部１０，１１，１２に隣接する一組の螺旋拡翼７の直径Ｄ１に対し頭部１０，１１，１２の先端拡翼１６の直径Ｄ１６を同一または小さくした。掘削後に杭を抜き取らない場合に、ロッド１の長手方向の抵抗力が大きくなって支持機能を高めることができる。【選択図】図６
0003170721.tif 000002
【実用新案登録請求の範囲】
【請求項１】
先端拡翼を有する頭部をロッドの先端側に設けるとともに、このロッドの外周にはこの頭部側からロッドの基端側へロッドの回転中心線に沿って螺旋溝を形成するように螺旋拡翼を並設し、このロッドの螺旋拡翼の全部または一部の直径は、この頭部の先端拡翼の直径よりも大きく設定され、または、この頭部の先端拡翼の直径と同一に設定されていることを特徴とする杭。
【請求項２】
先端拡翼を有する頭部をロッドの先端側に設けるとともに、このロッドの外周にはこの頭部側からロッドの基端側へロッドの回転中心線に沿って螺旋溝を形成するように複数組の螺旋拡翼を並設し、このロッドの複数組の螺旋拡翼のうち頭部側の螺旋拡翼の直径よりもロッドの基端側の螺旋拡翼の直径を大きくするとともに、この頭部に隣接する一組の螺旋拡翼の直径に対し頭部の先端拡翼の直径を同一または小さくしたことを特徴とする杭。
【請求項３】
前記ロッドの回転中心線に沿って互いに隣接する両組の螺旋拡翼において、頭部側の一組の螺旋拡翼の直径よりもロッドの基端側の一組の螺旋拡翼の直径を大きくしたことを特徴とする請求項２に記載の杭。
【請求項４】
前記各組の螺旋拡翼はロッドの回転中心線に対し傾斜した一対の翼板からなり、ロッドの回転中心線に沿って互いに隣接する両組の螺旋拡翼において、頭部側の一組の螺旋拡翼の両翼板と、ロッドの基端側の一組の螺旋拡翼の両翼板とのうち、ロッドの回転中心線の方向で互いに隣接する一方の両翼板間と、ロッドの回転中心線の方向で互いに隣接する他方の両翼板間とで螺旋溝を形成したことを特徴とする請求項２または請求項３に記載の杭。
【請求項５】
前記ロッドの先端側に対し前記頭部を着脱可能に連結したことを特徴とする請求項２から請求項４のうちいずれか一つの請求項に記載の杭。
【請求項６】
互いに形態の異なる複数のロッドと、互いに形態の異なる複数の頭部とを備え、各ロッドは請求項５に記載の杭におけるロッドを含み、各頭部は請求項５に記載の杭における頭部を含み、各ロッドのうちいずれか一つのロッドの先端側に対し、各頭部のうちいずれか一つの頭部を着脱可能に連結し得ることを特徴とする杭。
【請求項７】
前記各ロッドは、各組の螺旋拡翼の直径を同一にしたロッドを含むことを特徴とする請求項６に記載の杭。
【考案の詳細な説明】
【技術分野】
【０００１】
本考案は掘削後の支持機能を高めた杭に関するものである。
【背景技術】
【０００２】
下記の特許文献1に例示した杭は、ロッドの先端側に設けられた頭部の形態を改良して掘削機能を高めることを主目的とし、通常、掘削後に逆回転されて抜き取られる。
【特許文献１】特開２０１０−４３４３１号公報
【考案の開示】
【考案が解決しようとする課題】
【０００３】
一方、杭において掘削後に抜き取らずに支持機能を高めるためには、主にロッドの形態を改良してロッドの長手方向の抵抗力を大きくする必要がある。
この考案は、掘削後に支持機能を高めることができる杭を提供することを目的としている。また、掘削後に支持機能を高めることができる杭を含む多機能の杭として使い分けることができる杭も提供することを目的としている。
【課題を解決するための手段】
【０００４】
後記実施形態の図面（図１〜９）の符号を援用して本考案にかかる杭を説明する。
請求項１の考案にかかる杭においては、いずれも、例えば図６，７，８，９に示すように、先端拡翼（１６）を有する頭部（１０，１１，１２）をロッド（１，２）の先端側に設けるとともに、このロッド（１，２）の外周にはこの頭部（１０，１１，１２）側からロッド（１，２）の基端側へロッド（１，２）の回転中心線（１ａ，２ａ）に沿って螺旋溝（６）を形成するように螺旋拡翼（７）を並設している。このロッド（１，２）の螺旋拡翼（７）の全部または一部の直径（Ｄ１，Ｄ２）は、この頭部（１０，１１，１２）の先端拡翼（１６）の直径（Ｄ１６）よりも大きく設定され、または、この（１０，１１，１２）の先端拡翼（１６）の直径（Ｄ１６）と同一に設定されている。
【０００５】
請求項２の考案にかかる杭においては、例えば図６，８に示すように、先端拡翼（１６）を有する頭部（１０，１１，１２）をロッド（１）の先端側に設けるとともに、このロッド（１）の外周にはこの頭部（１０，１１，１２）側からロッド（１）の基端側へロッド（１）の回転中心線（１ａ）に沿って螺旋溝（６）を形成するように複数組の螺旋拡翼（７）を並設し、このロッド（１）の複数組の螺旋拡翼（７）のうち頭部（１０，１１，１２）側の螺旋拡翼（７）の直径（Ｄ１）よりもロッド（１）の基端側の螺旋拡翼（７）の直径（Ｄ１）を大きくするとともに、この頭部（１０，１１，１２）に隣接する一組の螺旋拡翼（７）の直径（Ｄ１）に対し頭部（１０，１１，１２）の先端拡翼（１６）の直径（Ｄ１６）を同一または小さくした。
【０００６】
請求項１〜２の考案では、ロッド（１，２）の螺旋拡翼（７）の形態の改良により、掘削後に杭を抜き取らない場合に、ロッド（１，２）の長手方向（回転中心線１ａの方向）の抵抗力が大きくなって支持機能を高めることができる。
【０００７】
請求項２の考案を前提とする請求項３の考案において、例えば図６，８に示すように、前記ロッド（１）の回転中心線（１ａ）に沿って互いに隣接する両組の螺旋拡翼（７）において、頭部（１０，１１，１２）側の一組の螺旋拡翼（７）の直径（Ｄ１）よりもロッド（１）の基端側の一組の螺旋拡翼（７）の直径（Ｄ１）を大きくした。請求項３の考案では、ロッド（１）の回転中心線（１ａ）に沿って並ぶ各組の螺旋拡翼（７）の直径（Ｄ１）が頭部（１０，１１，１２）側からロッド（１）の基端側へ向うに従い次第に大きくなるため、掘削後に杭を抜き取らない場合にロッド（１，２）の長手方向の抵抗力が大きくなって支持機能を高めることができるばかりではなく、逆に、ロッド（１）の回転中心線（１ａ）に沿って並ぶ各組の螺旋拡翼（７）の直径（Ｄ１）がロッド（１）の基端側から頭部（１０，１１，１２）側へ向うに従い次第に小さくなるため、掘削抵抗が小さくなる。
【０００８】
請求項２または請求項３の考案を前提とする請求項４の考案にかかる前記各組の螺旋拡翼（７）は例えば図１，６，８に示すようにロッド（１）の回転中心線（１ａ）に対し傾斜した一対の翼板（８，９）からなり、ロッド（１）の回転中心線（１ａ）に沿って互いに隣接する両組の螺旋拡翼（７）において、頭部（１０，１１，１２）側の一組の螺旋拡翼（７）の両翼板（８，９）と、ロッド（１）の基端側の一組の螺旋拡翼（７）の両翼板（８，９）とのうち、ロッド（１）の回転中心線（１ａ）の方向で互いに隣接する一方の両翼板（８）間と、ロッド（１）の回転中心線（１ａ）の方向で互いに隣接する他方の両翼板（９）間とで螺旋溝（６）を形成した。請求項４の考案では、各組の螺旋拡翼（７）における一対の翼板（８，９）により、螺旋溝（６）を容易に形成することができる。
【０００９】
請求項２から請求項４のうちいずれか一つの請求項の考案を前提とする請求項５の考案においては、例えば図１，３〜５，６，８に示すように、前記ロッド（１）の先端側に対し前記頭部（１０，１１，１２）を着脱可能に連結した。請求項５の考案では、ロッド（１）と頭部（１０，１１，１２）とのうち一方または両方を交換することができる。
【００１０】
請求項６の考案においては、例えば図１〜９に示すように、互いに形態の異なる複数のロッド（１，２）と、互いに形態の異なる複数の頭部（１０，１１，１２）とを備え、各ロッド（１，２）は請求項５の考案に記載の杭におけるロッド（１）を含み、各頭部（１０，１１，１２）は請求項５の考案に記載の杭における頭部（１０，１１，１２）を含み、各ロッド（１，２）のうちいずれか一つのロッド（１，２）の先端側に対し、各頭部（１０，１１，１２）のうちいずれか一つの頭部（１０，１１，１２）を着脱可能に連結し得る。請求項６の考案では、請求項５の考案に記載の杭におけるロッド（１）を含む複数のロッド（１，２）と、請求項５の考案に記載の杭における頭部（１０，１１，１２）を含む複数の頭部（１０，１１，１２）とを任意に組み合わせた多機能の杭を得ることができる。
【００１１】
請求項６の考案を前提とする請求項７の考案において、例えば図２，３〜５，７，９に示すように、前記各ロッド（１，２）は、各組の螺旋拡翼（７）の直径（Ｄ２）を同一にしたロッド（２）を含む。請求項７の考案では、請求項５の考案に記載の杭におけるロッド（１）や各組の螺旋拡翼（７）の直径（Ｄ２）を同一にしたロッド（２）を含む複数のロッド（１，２）と、請求項５の考案に記載の杭における頭部（１０，１１，１２）を含む複数の頭部（１０，１１，１２）とを任意に組み合わせた多機能の杭を得ることができる。
【考案の効果】
【００１２】
本考案は、掘削後に支持機能を高め得る杭を提供することができる。また、掘削後に支持機能を高め得る杭を含む多機能の杭として使い分けることができる杭も提供することができる。
【図面の簡単な説明】
【００１３】
【図１】（ａ）は本実施形態にかかる杭において第一のロッドを示す正面図であり、（ｂ）は同じく側面図である。
【図２】（ａ）は本実施形態にかかる杭において第二のロッドを示す正面図であり、（ｂ）は同じく側面図である。
【図３】（ａ）は本実施形態にかかる杭において第一の頭部を示す正面図であり、（ｂ）は同じく側面図であり、（ｃ）は同じく底面図である。
【図４】（ａ）は本実施形態にかかる杭において第二の頭部を示す正面図であり、（ｂ）は同じく側面図であり、（ｃ）は同じく底面図である。
【図５】（ａ）は本実施形態にかかる杭において第三の頭部を示す正面図であり、（ｂ）は同じく側面図であり、（ｃ）は同じく底面図である。
【図６】（ａ）は上記の第一のロッドに上記の第一の頭部を着脱可能に連結した杭を示す正面図であり、（ｂ）は上記の第一のロッドに上記の第二の頭部を着脱可能に連結した杭を示す正面図であり、（ｃ）は上記の第一のロッドに上記の第三の頭部を着脱可能に連結した杭を示す正面図である。
【図７】（ａ）は上記の第二のロッドに上記の第一の頭部を着脱可能に連結した杭を示す正面図であり、（ｂ）は上記の第二のロッドに上記の第二の頭部を着脱可能に連結した杭を示す正面図であり、（ｃ）は上記の第二のロッドに上記の第三の頭部を着脱可能に連結した杭を示す正面図である。
【図８】（ａ）は上記の第一のロッドに上記の第一の頭部の別例を着脱可能に連結した杭を示す正面図であり、（ｂ）は上記の第一のロッドに上記の第二の頭部の別例を着脱可能に連結した杭を示す正面図であり、（ｃ）は上記の第一のロッドに上記の第三の頭部の別例を着脱可能に連結した杭を示す正面図である。
【図９】（ａ）は上記の第二のロッドに上記の第一の頭部の別例を着脱可能に連結した杭を示す正面図であり、（ｂ）は上記の第二のロッドに上記の第二の頭部の別例を着脱可能に連結した杭を示す正面図であり、（ｃ）は上記の第二のロッドに上記の第三の頭部の別例を着脱可能に連結した杭を示す正面図である。
【考案を実施するための形態】
【００１４】
以下、本考案の一実施形態にかかる杭について図面を参照して説明する。
図１に示す第一のロッド１や、図２に示す第二のロッド２については、いずれも、円形の外周面を有する中心軸３でその先端部と基端部とにそれぞれ連結部４，５が取着されている。第一のロッド１及び第二のロッド２の中心軸３の外周には先端部側から基端部側へロッド１，２の回転中心線１ａ，２ａに沿って互いに連続する螺旋溝６を形成するように複数組の螺旋拡翼７が並設されている。各組の螺旋拡翼７はロッド１，２の回転中心線１ａ，２ａに対し傾斜して半円周状に延びる一対の翼板８，９からなる。各翼板８，９の外周縁部は半円形状をなし、ロッド１，２の回転中心線１ａ，２ａに沿って互いに隣接する両組の螺旋拡翼７において、各翼板８，９の周方向両端縁部のうち螺旋方向で互いに連続する両翼板８，９の端縁部は互いに面して交差している。ロッド１，２の回転中心線１ａ，２ａに沿って互いに隣接する両組の螺旋拡翼７において、先端部側の一組の螺旋拡翼７の両翼板８，９と、基端部側の一組の螺旋拡翼７の両翼板８，９とのうち、ロッド１，２の回転中心線１ａ，２ａの方向で互いに隣接する一方の両翼板８間と、ロッド１，２の回転中心線１ａ，２ａの方向で互いに隣接する他方の両翼板９間とで螺旋溝６が形成されている。
【００１５】
第一のロッド１の回転中心線１ａに沿って互いに隣接する両組の螺旋拡翼７において、先端部側の一組の螺旋拡翼７の直径Ｄ１よりも基端部側の一組の螺旋拡翼７の直径Ｄ１を大きくして、各組の螺旋拡翼７の直径Ｄ１が先端部側から基端部側へ向うに従い次第に大きくなっている。また、第二のロッド２においては、各組の螺旋拡翼７の直径Ｄ２が同一になっている。
【００１６】
図３に示す第一の頭部１０や、図４に示す第二の頭部１１や、図５に示す第三の頭部１２については、いずれも、円形の外周面を有する頭軸１３の基端部に連結部１４が取着されているとともに、その頭軸１３の先端部端面には頭部１０，１１，１２の回転中心線１０ａ，１１ａ，１２ａ上で刃板１５が取着され、頭軸１３の外周には一対の翼板１７，１８からなる先端拡翼１６が取着されている。各翼板１７，１８は、半円形の外周面を有し、頭部１０，１１，１２の回転中心線１０ａ，１１ａ，１２ａに対し傾斜している。
【００１７】
第一の頭部１０の先端拡翼１６においては、半円周状に延びる両翼板１７，１８の周方向両端縁部のうち先端部側の端縁部に複数の掘削爪１９が半径方向へ互いに並んで取着されている。第二の頭部１１の先端拡翼１６においては、半円周状に延びる両翼板１７，１８の周方向両端縁部のうち先端部側の端縁部に複数の掘削爪部２０が半径方向へ互いに並ぶように一体に形成されている。第三の頭部１２の先端拡翼１６においては、半円周状に延びる両翼板１７，１８の周方向両端縁部のうち先端部側の端縁部に掘削刃部２１が半径方向へ延びるように一体に形成されている。
【００１８】
図６（ａ）に示す杭は、図１に示す第一のロッド１の先端側連結部４に図３に示す第一の頭部１０の連結部１４を嵌め合わせて各ピン２２により連結したものである。図６（ｂ）に示す杭は、図１に示す第一のロッド１の先端側連結部４に図４に示す第二の頭部１１の連結部１４を嵌め合わせて各ピン２２により連結したものである。図６（ｃ）に示す杭は、図１に示す第一のロッド１の先端側連結部４に図５に示す第三の頭部１２の連結部１４を嵌め合わせて各ピン２２により連結したものである。いずれの杭も、各頭部１０，１１，１２の先端拡翼１６の直径Ｄ１６は、第一のロッド１の各組の螺旋拡翼７のうち、最先端部側の一組の螺旋拡翼７の直径Ｄ１と同一になっているとともに、それ以外の各組の螺旋拡翼７の直径Ｄ１よりも小さくなっている。また、図８（ａ）（ｂ）（ｃ）に示すように、第一のロッド１の各組の螺旋拡翼７のうち、最先端部側の一組の螺旋拡翼７の直径Ｄ１よりも各頭部１０，１１，１２の先端拡翼１６の直径Ｄ１６を小さくしてもよい。
【００１９】
図７（ａ）に示す杭は、図２に示す第二のロッド２の先端側連結部４に図３に示す第一の頭部１０の連結部１４を嵌め合わせて各ピン２２により連結したものである。図７（ｂ）に示す杭は、図２に示す第二のロッド２の先端側連結部４に図４に示す第二の頭部１１の連結部１４を嵌め合わせて各ピン２２により連結したものである。図７（ｃ）に示す杭は、図２に示す第二のロッド２の先端側連結部４に図５に示す第三の頭部１２の連結部１４を嵌め合わせて各ピン２２により連結したものである。いずれの杭も、各頭部１０，１１，１２における先端拡翼１６の直径Ｄ１６は、第二のロッド２における各組の螺旋拡翼７の直径Ｄ２よりも小さくなっている。また、図９（ａ）（ｂ）（ｃ）に示すように、各頭部１０，１１，１２における先端拡翼１６の直径Ｄ１６を第二のロッド２における各組の螺旋拡翼７の直径Ｄ２と同一にしてもよい。
【００２０】
なお、図６，７，８，９において、第一のロッド１及び第二のロッド２の基端側連結部５には、推進力などの掘削条件に応じて、図示しない別のロッド（例えば、螺旋拡翼を有するロッド、または、螺旋拡翼を有しないロッド）の先端側連結部を各ピン２３により連結することができる。
【００２１】
図６，７，８，９に示す杭については、正回転させて地盤を掘削した後、逆回転させて抜き取ってもよいが、そのまま抜き取らずに支持用の杭として利用してもよく、ロッド１，２の螺旋拡翼７はロッド１，２の長手方向（回転中心線１ａの方向）の抵抗力となって支持用の杭として機能する。
【００２２】
本実施形態は下記の効果を有する。
（１）  ロッド１，２の螺旋拡翼７が頭部１０，１１，１２の先端拡翼１６の直径Ｄ１６に対し大きいまたは同一の直径Ｄ１，Ｄ２を有するようにロッド１，２の螺旋拡翼７の形態を改良したことにより、掘削抵抗を小さくすることができるとともに、掘削後に杭を抜き取らない場合に、ロッド１，２の長手方向の抵抗力が大きくなって支持機能を高めることができる。
【００２３】
（２）  ロッド１の螺旋拡翼７の直径Ｄ１が頭部１０，１１，１２側からロッド１の基端側へ向うに従い次第に大きくなるため、掘削後に杭を抜き取らない場合にロッド１，２の長手方向の抵抗力が大きくなって支持機能を高めることができるばかりではなく、逆に、ロッド１の螺旋拡翼７の直径Ｄ１がロッド１の基端側から頭部１０，１１，１２側へ向うに従い次第に小さくなるため、掘削抵抗を小さくすることができる。
【００２４】
（３）  第一のロッド１及び第二のロッド２と頭部１０，１１，１２とを任意に組み合わせることにより、掘削後に支持機能を高め得る杭を含む多機能の杭として使い分けることができる。
【００２５】
前記実施形態以外にも例えば下記のように構成してもよい。
・  図６または図８に示す第一のロッド１の各螺旋拡翼７や、図７または図９に示す第二のロッド２の各螺旋拡翼７については、頭部１０，１１，１２の先端拡翼１６の直径Ｄ１６よりも小さい直径Ｄ１，Ｄ２を有するものを含んでいてもよく、頭部１０，１１，１２の先端拡翼１６の直径Ｄ１６に対し大きい直径Ｄ１，Ｄ２または同一の直径Ｄ１，Ｄ２を有するものを含んでいれば、ロッド１，２の長手方向の抵抗力が大きくなって支持機能を高めることができる。
【００２６】
・  第一のロッド１の先端側または第二のロッド２の先端側に頭部１０，１１，１２を各ピン２２により着脱可能に連結したが、これらを互いに着脱不能に取着してもよい。
【符号の説明】
【００２７】
１，２…ロッド、１ａ，２ａ…ロッドの回転中心線、６…螺旋溝、７…螺旋拡翼、８，９…翼板、１０，１１，１２…頭部、１６…先端拡翼、Ｄ１，Ｄ２，Ｄ１６…直径。
【図１】
0003170721.tif 000003
【図２】
0003170721.tif 000004
【図３】
0003170721.tif 000005
【図４】
0003170721.tif 000006
【図５】
0003170721.tif 000007
【図６】
0003170721.tif 000008
【図７】
0003170721.tif 000009
【図８】
0003170721.tif 000010
【図９】
0003170721.tif 000011
【手続補正書】
【提出日】平成23年7月27日(2011.7.27)
【手続補正１】
【補正対象書類名】実用新案登録請求の範囲
【補正対象項目名】請求項６
【補正方法】変更
【補正の内容】
【請求項６】
互いに形態の異なる複数のロッドと、互いに形態の異なる複数の頭部とを備え、
先端拡翼を有する頭部をロッドの先端側に設けるとともに、このロッドの外周にはこの頭部側からロッドの基端側へロッドの回転中心線に沿って螺旋溝を形成するように複数組の螺旋拡翼を並設し、このロッドの複数組の螺旋拡翼のうち頭部側の螺旋拡翼の直径よりもロッドの基端側の螺旋拡翼の直径を大きくするとともに、この頭部に隣接する一組の螺旋拡翼の直径に対し頭部の先端拡翼の直径を同一または小さくした構成Ａと、
ロッドの回転中心線に沿って互いに隣接する両組の螺旋拡翼において、頭部側の一組の螺旋拡翼の直径よりもロッドの基端側の一組の螺旋拡翼の直径を大きくした構成Ｂと、
各組の螺旋拡翼はロッドの回転中心線に対し傾斜した一対の翼板からなり、ロッドの回転中心線に沿って互いに隣接する両組の螺旋拡翼において、頭部側の一組の螺旋拡翼の両翼板と、ロッドの基端側の一組の螺旋拡翼の両翼板とのうち、ロッドの回転中心線の方向で互いに隣接する一方の両翼板間と、ロッドの回転中心線の方向で互いに隣接する他方の両翼板間とで螺旋溝を形成した構成Ｃとにあって、
各ロッドは前記構成Ａまたは前記構成Ａ及びＢまたは前記構成Ａ及びＣまたは前記構成Ａ，Ｂ及びＣにおけるロッドを含み、
各頭部は前記構成Ａまたは前記構成Ａ及びＢまたは前記構成Ａ及びＣまたは前記構成Ａ，Ｂ及びＣにおける頭部を含み、
各ロッドのうちいずれか一つのロッドの先端側に対し、各頭部のうちいずれか一つの頭部を着脱可能に連結し得ることを特徴とする杭。